(57)【特許請求の範囲】
【請求項１】
建物の円形開口部の縁に沿って設けられた枠体と、該枠体内に配置された円形障子とを備える開口部装置であって、
前記枠体が、該枠体の内周面の少なくとも１箇所に取り付けられたネジを有し、
前記円形障子が、
円形の光透過性パネルと、
前記光透過性パネルの外周に沿って取り付けられる環状固定部材と、
前記環状固定部材の前記枠体が配置される側とは反対の面に当接されて配置される円形の框と、
前記環状固定部材と前記円形の框とを係合するとともに前記枠体の方向に延設された部位に、幅方向を長手方向とし、一端が開口され、前記ネジと係合されるスリットを有する係合片と、を備え、
前記円形の框の正面視では該円形の框により前記環状固定部材及び前記係合片の全体が隠蔽されることを特徴とする開口部装置。
【請求項２】
請求項１に記載の開口部装置を組み立てる方法であって、
前記係合片を備えた前記円形障子を前記枠体の内側に配置する挿入工程と、
前記円形障子を回動し、前記係合片のスリットの開口部から該スリットの内側に前記ネジを配置して前記枠体に前記円形障子を係止する係止工程と、
前記ネジを締め、前記枠体に前記円形障子を固定する固定工程と、を有する組立方法。
【発明の詳細な説明】
【技術分野】
【０００１】
本発明は住宅や公共施設等の建物開口部に好適に用いられる円形窓において該円形窓の枠体や框にシンプルな印象を与えることができるとともに、該円形窓の施工時や交換時に組み立てが容易である構造を有する開口部装置、及び該開口部装置の組立方法に関する。
【背景技術】
【０００２】
近年、建物の洋風化がこれまで以上に進み、いわゆるモダンなデザインである洋風建物が増加している。このような洋風建物では建物の形そのものだけではなく、建物を構成する各要素の随所にも洋風なデザインが採用されるようになっている。
【０００３】
洋風なデザインの建物の要素設計において窓は重要な要素の１つである。建物の窓は室内外の換気及び採光の手段としての機能に留まらず、建物の印象を決める重要な役割を有している。例えば窓の配置や形が異なると同じ形状の建物であってもその雰囲気は全く異なる。特に円形窓は洋風でモダンな建物である印象を与え、その需要も増加傾向にある。そしてこの増加の傾向に伴い、需要者の希望も多岐に渡るようになり、かかる需要者の希望を反映する設計が必要とされている。
【０００４】
従来、円形窓の障子の組立構造は、框を円形にするために例えば直材を円形に曲げることによって形成されていた。これについて開示している文献は特にないが、当業者によって通常に行われている事項である。さらには、これまで需要者の多岐に渡る要望に応え、多くの種類の円形窓に対応し、シンプルでモダンな印象を与えることができる円形窓の組立構造が存在しなかった。
【発明の開示】
【発明が解決しようとする課題】
【０００５】
ところが、従来のような円形窓の障子の組立構造において、框を円形にするために例えば直材を円形に曲げることによって形成すると、必ず一箇所に直材の端部同士の接合部ができ、該部分をネジ止め等すると、框を見た場合に接合部の線とネジ等が見え、シンプルな印象とならない場合があった。さらに框と面材との組立構造においても円形窓であることにより組立のためのネジ等が框の外に現れてしまうこともあり、やはりシンプルな印象とならない場合もあった。また、径の小さな円形窓が必要であるときには、上述の構造ではネジ部や接合部を確保するために一定のスペースを確保しなければならず、これによりガラスパネルの大きさに比べ、枠や框が太くなり、厚い縁取りのように見え、枠や框が目立ってしまうようなこともあった。
【０００６】
また、今後も洋風建物は増加し、円形窓に対する要望も多様化するため、様々な円形窓の設計に対応可能で、シンプルでモダンな空間を演出する円形窓の組立構造に対する需要が高まる。
【０００７】
さらには、かかる需要の高まりと同時に、このような円形窓の施工、又は交換時に該施工、又は交換を容易におこなうことのできる構造、及びその方法が必要とされていた。
【０００８】
そこで本発明は、あらゆる大きさの円形窓に適用可能で、該円形窓の外観にシンプルで開放感のある印象を与えることができるとともに、該円形窓の施工、又は交換が容易である構造を有する開口部装置、及びその組立方法を提供することを課題とする。
【課題を解決するための手段】
【０００９】
以下、本発明について説明する。なお、本発明の理解を容易にするために添付図面の参照符号を括弧書きにて付記するが、それにより本発明が図示の形態に限定されるものではない。
【００１０】
請求項１の発明は、建物（９０）の円形開口部の縁に沿って設けられた枠体（３０）と、該枠体内に配置された円形障子（５）とを備える開口部装置（１）であって、枠体が、該枠体の内周面の少なくとも１箇所に取り付けられたネジ（３０ｅ）を有し、円形障子が、円形の光透過性パネル（１５）と、光透過性パネルの外周に沿って取り付けられる環状固定部材（２３）と、環状固定部材の枠体が配置される側とは反対の面に当接されて配置される円形の框（１０）と、環状固定部材と円形の框とを係合するとともに枠体の方向に延設された部位に、幅方向を長手方向とし、一端が開口され、ネジに係合されるスリット（２５ｇ）を有する係合片（２５）とを備え、円形の框の正面視では該円形の框により環状固定部材及び係合片の全体が隠蔽されることを特徴とする開口部装置を提供することにより前記課題を解決する。
【００１１】
請求項２は、請求項１に記載の開口部装置（１）を組み立てる方法であって、係合片（２５）を備えた円形障子（５）を枠体（３０）の内側に配置する挿入工程と、円形障子を回動し、係合片のスリット（２５ｇ）の開口部から該スリットの内側にネジ（３０ｅ）を配置して枠体に円形障子を係止する係止工程と、ネジを締め、枠体に円形障子を固定する固定工程とを有する組立方法を提供することにより前記課題を解決する。
【発明の効果】
【００１２】
請求項１の発明によれば、円形の開口部装置の円形障子を框側から正面で見たとき、開口部装置に備えられる部材では光透過性パネルと框しか見えず、他の部材が隠蔽されるのでシンプルな印象を与えることができる。また、鋳造や射出成形により框を作製できるので、框に継ぎ目が無く、シンプルな印象を与えることができるとともに開口部装置全体のコストを低く抑えることも可能である。さらには、径の小さな円形窓でも框を厚くする必要が無く、パネルの大きさに見合った太さの框が採用可能である。加えて、枠体のネジと円形障子のスリットとを容易に係止することができ、施工及び交換が容易である開口部装置とすることも可能となる。
【００１３】
請求項２の発明によれば、より確実に円形障子を枠体に係止しておくことができ、円形障子の位置決めもできるので、１人作業も可能となり、施工及び交換が容易である開口部装置の取付方法を提供することができる。
【００１４】
本発明のこのような作用及び利得は、次に説明する発明を実施するための最良の形態から明らかにされる。
【発明を実施するための最良の形態】
【００１５】
以下本発明を図面に示す実施形態に基づき説明する。
【００１６】
図１は、本発明の開口部装置１が使用される１つの実施形態にかかる建物９０の外観を示す正面図である。建物９０は１階及び２階からなり、各階に開口部を有している。１階には玄関９２や窓９３が、２階にも窓９４が備えられている。２階にはさらに円形の開口部が備えられ、該開口部に本発明の開口部装置１が配置されている。開口部装置１は、このような円形窓として使用され、様々な大きさの円形窓に適用可能である。また、建物の種類は住宅に限定されず、公共施設やオフィス等の大型建物にも適用することができる。
【００１７】
図２は１つの実施形態にかかる開口部装置１の正面図である。図２（ａ）は室外側から、図２（ｂ）は室内側からの正面図である。開口部装置１は、建物９０の開口部の縁に沿って備えられた枠体３０と、該枠体３０内に配置される円形障子５とを有している。円形障子５はガラスパネル１５と該ガラスパネル１５の縁に取り付けられた框１０とを備えている。各部材の構造及び取り付けに関しては後で詳しく説明する。図２（ａ）及び図２（ｂ）に示すように、室外側からは框１０とガラスパネル１５のみ、室内側からは枠体３０とガラスパネル１５のみが見え、他の部材が隠蔽されるのですっきりとしたシンプルな印象を与えることができる。
【００１８】
図３は、開口部装置１の分解斜視図である。図３は、紙面左が室外側、紙面右が室内側を示している。開口部装置１は、円形障子５と、枠体３０とを備えている。さらに円形障子５は、框１０と、ガラスパネル１５と、環状固定部材２３と、係合片２５、２５、２５、２５とを備えている。框１０は、環状で略Ｌ字型の断面を有する部材であり（図７参照）、ガラスパネル１５は円板状のガラス製のパネルである。
【００１９】
環状固定部材２３は、部材２３ａ、２３ａと、継ぎ手２３ｂ、２３ｂ（一方の継ぎ手２３ｂは図３では死角となり見えない。）とを有している。部材２３ａ、２３ａは、それぞれコの字型の断面を有する略半円である円弧状の部材であり、継ぎ手２３ｂ、２３ｂは、部材２３ａ、２３ａの端部同士を係合する部材である。
【００２０】
次に、係合片２５についてその構造を詳しく説明する。係合片２５の形状を図４に示す。図４（ａ）は上面図、図４（ｂ）は側面図である。係合片２５は全体として平板状部材が組み合わせられて形成された部材である。さらに詳しくは、係合片２５は、貫通孔２５ａを有する部材２５ｂと、該部材２５ｂの一端から略垂直に延設される部材２５ｃと、該部材２５ｃの部材２５ｂとは反対側の端部から部材２５ｃに略垂直に延設された部材２５ｄとを備えている。さらに、部材２５ｄの部材２４ｃとは反対側の端部には、部材２５ｄの幅方向（図４（ａ）の上下方向）両端部から該部材２５ｄに垂直に延設される部材２５ｅ、２５ｅと、部材２５ｄと同じ方向に延在する部材２５ｆが設けられている。部材２５ｆは、該部材２５ｆの幅方向略中央から１方の幅方向端部に開口するスリット２５ｇを有している。そして各部材２５ａ、２５ｂ、２５ｃ、２５ｄ、２５ｅ、２５ｆは一体に形成されている。係合片２５は、図３に示したように円形障子５に４つ備えられ、９０度の間隙で環状固定部材２３の円周上に配置されている。
【００２１】
後述するように、この係合片２５により、円形障子５に備えられる各部材が係合されるとともに、円形障子５が枠体３０に取り付けられる。本実施形態では、係合片２５は４つ備えられているが、４つである必要はなく、少なくとも１つ備えられていれば良い。本実施形態では、円形障子５の枠体３０への取り付け時における安定性の観点から４つの係合片が配置されている。
【００２２】
次に、枠体３０についてその構造を詳しく説明する。図５は、枠体３０の斜視図である。図５（ａ）が室内側斜視図、図５（ｂ）が室外側斜視図である。枠体３０は環状の部材であるとともに内側側壁３０ａと外側側壁３０ｂとを有している。内側側壁３０ａと外側側壁３０ｂとは、２重管のように所定の間隙を有する２つの管壁であり、内側側壁３０ａと外側側壁３０ｂとの間には所定の間隙が設けられている。室内側では、室内側端面３０ｄにより該間隙は塞がれている。内側側壁３０ａと外側側壁３０ｂとの間は、室外側から侵入することが可能とされている。また、内側側壁３０ａには、中心角９０度に相当する間隙で貫通孔３０ｃ、３０ｃ、３０ｃ、３０ｃ（図５では４つの貫通孔３０ｃ、３０ｃ、３０ｃ、３０ｃのうち２つの貫通孔３０ｃ、３０ｃしか見えない。）が設けられている。
【００２３】
図６は、図５にＡで示した部分の拡大図で、さらに内側側壁３０ａの一部で貫通孔３０ｃの周囲を切り欠いて示した図である。枠体３０は、外側側壁３０ｂに、貫通孔３０ｃとに対応する位置に、ネジ孔が設けられており、さらに該ネジ孔にあらかじめネジ３０ｅが取り付けられている。従って、ネジ３０ｅは、内側側壁３０ａと外側側壁３０ｂとの間に配置されている。また、ネジ３０ｅは開口部装置１の組立前においてはその頭部下端と外側側壁３０ｂの内側面との間に、少なくとも係合片２５の厚みよりも大きな間隙を有して立設されている。そして後述するように、該間隙に係合片２５が挟まれた姿勢でネジ３０ｅを締める。開口部装置１の組立方法については後で詳しく説明する。
【００２４】
また、開口部装置１は、ロック機構やシール部材等、その他通常の開口部装置が備える部材を備えている。
【００２５】
以上のような構造を有する各部材により、あらゆる大きさの円形窓に適用可能で、該円形窓の外観にシンプルで開放感のある印象を与えることができるとともに、該円形窓の施工、又は交換が容易である構造を有する開口部装置、及びその組立方法を提供することができる。
【００２６】
ここで、各部材には、通常の開口部装置に使用されるあらゆる材質が適用可能である。框１０としては、その中でもアルミニウムが特に好ましい材料である。またガラスパネル１５は、該ガラスパネル１５に代えて、採光の観点から例えばアクリル樹脂パネル、ポリカーボネートパネル等を使用することもできる。
【００２７】
また、各部材の形成のための方法として、開口部装置が製造されるあらゆる方法が考えられる。これには例えば鋳造や射出成形、押出を挙げることができる。框１０に関しては上述のように継ぎ目が無く、アルミニウムを材料として利用する場合には、鋳造による方法が好ましく採用される。また、環状固定部材２３は円形のガラスパネル１５の外周にこれを取り囲むように取り付けられるので、押出により形成された部材を半円の円弧状に曲げた材料が好適に使用される。よって本発明の開口部装置１は、後述するように鋳物と押出材とを係合することも可能である。
【００２８】
次に、開口部装置１が組み立てられたときの各部材の配置を説明する。図７は組み立てられた開口部装置１の貫通孔３０ｃを含む径方向の断面図で、そのときに現れる端部のうちの１方の端部に注目して示した図である。部材同士の境界がわかりにくい部分があるので、適宜一部の部材を破線で示している。図７では、紙面上が室外側、紙面下が室内側である。ガラスパネル１５は、その外周に沿って配置されたシール部材１６、１６及びシール固定具１７とともに環状固定部材２３に取り付けられている。さらに、ガラスパネル１５の取り付けられた環状固定部材２３は、係合片２５の部材２５ｄの一面側と、部材２５ｅとが形成する角部に合わせて接するように配置される。
【００２９】
框１０は最も室外側に配置され、Ｌ字型である１辺がガラスパネル１５に平行に配置され、他辺の端面が環状固定部材２３の室外側端面に当接される。これは、框１０に設けられた凹部１０ｃの内側に係合片２５の部材２５ｂが配置され、係合片２５の貫通孔２５ａを介して、凹部１０ａの底部に設けられたネジ孔にネジ１０ｃが取り付けられることにより行われる。そして、框１０と係合片２５とが、ネジ１０ｃにより係合される。従って、係合片２５の部材２５ｃと部材２５ｅとの間には環状固定部材２３及び框１０の一部が挟まれるように配置されており、これにより、框１０とガラスパネル１５と環状固定部材２３とが係合されている。
【００３０】
一方、係合片２５の部材２５ｆは室内側に延在し、該部材２５ｆの貫通孔２５ｇを介してネジ３０ｅにより枠体３０と係合されている。
【００３１】
以上のような各部材の構成により、開口部装置１で各部材は、ガラスパネル１５以外は框１０の室内側に隠蔽され、室外側正面視において框１０及びガラスパネル１５しか見えず、室内側正面視において枠体３０及びガラスパネル１５しか見えないようにされ、シンプルな印象を与えることができる。また、框１０の幅は環状固定部材２３、係合片２５、枠体３０等の隠蔽が可能な範囲で自由に設定できるので、框１０を薄くすることも可能となり、さらにシンプルな印象の円形障子にすることもできる。また、薄くするだけではなく厚みを持たせることもできるので、需要者の要望に応え得る開口部装置であるといえる。
【００３２】
ここで、開口部装置１における円形障子５と枠体３０との室内外の関係は、図７の場合と反対であってもよい。従って、図７においてガラスパネル１５の紙面上が室内側、紙面下が室外側としてもよい。また、室内外が屋内外の関係である必要もなく、例えば本発明の開口部装置が屋内の壁の開口部に設けられても良い。
【００３３】
次に開口部装置１の組立方法について説明する。図８は、円形障子５と枠体３０とが組み立てられる前における開口部装置１を示す室内側斜視図である。この状態で、円形障子５は、図７により説明した通りの配置にすでに組み立てられ、枠体３０は建物の開口部に取り付けられている。図８に至るまでの組み立てについては、図７に示した配置に組み立てるのみなので、ここではその説明を省略する。かかる状態から円形障子５を枠体３０に組み付ける。
【００３４】
図９は図８にＢで示した部位の拡大図で、ネジ３０ｅが配置される部位の周辺における内側側壁３０ａを切り欠いて示した図である。枠体３０への円形障子５の取付方法は以下の通りである。まず挿入工程として、円形障子５に備えられる係合片２５の部材２５ｆの部分を、室外側から枠体３０の内側側壁３０ａと外側側壁３０ｂとの間に差し込む（図９に矢印Ｃで示した移動。）。このとき、ネジ３０ｅがスリット２５ｇが開口している側にあるようにする。そして、次に係止工程として、図９に矢印Ｄで示したように円形障子５を回転させる。すると、上述のようにネジ３０ｅの頭部と外側側壁３０ｂとの間は、係合片２５の厚み以上の間隙を有しているので、ねじ３０ｅのネジ部がスリット２５ｇの中を移動して、スリット２５ｇの端部で円形障子５が、図９に破線で示したように係止される。次に、固定工程として、図７、図８に示した内側側壁３０ａの内側から貫通孔３０ｃにドライバー等を挿し込み、ネジ３０ｅを締め、円形障子５と枠体３０とを強固に固定する。以上によって、開口部装置１の組み立てが行われる。
【００３５】
このように組み立てることにより、円形障子５を回転させるのみで、円形障子５の位置決めをし、さらに仮止めをすることが可能となる。そうすると、組み立て時において取り付けた円形障子５をネジ留めするまで押さえている必要がなくなり、１人でも円形障子５の取り付けが可能となる。これは、施工時のみではなく、円形障子５の交換の時においても同様なので、施工及び交換が容易な開口部装置１とすることができる。
【００３６】
さらには、ネジ３０ｅがすでに立設されているので、貫通孔３０ｃからドライバー等でネジ３０ｅを締める場合にも、ネジ３０ｅを改めて取り付ける必要がなく、円滑に取付作業を進めることができる。
【００３７】
以上のような構成の開口部装置、及びその組み立て方法により、あらゆる大きさの円形窓に適用可能で、該円形窓の外観にシンプルで開放感のある印象を与えることができるとともに、該円形窓の施工、又は交換を容易なものとすることができる。
【００３８】
以上、現時点において、もっとも、実践的であり、かつ、好ましいと思われる実施形態に関連して本発明を説明したが、本発明は、本願明細書中に開示された実施形態に限定されるものではなく、請求の範囲および明細書全体から読み取れる発明の要旨或いは思想に反しない範囲で適宜変更可能であり、そのような変更を伴う開口部装置及び該開口部装置の組立方法もまた本発明の技術的範囲に包含されるものとして理解されなければならない。
【図面の簡単な説明】
【００３９】
【図１】本発明の開口部装置が使用される１つの実施形態にかかる建物の外観を示す正面図である。
【図２】１つの実施形態にかかる開口部装置の正面図である。
【図３】開口部装置の分解斜視図である。
【図４】係合片の正面図及び側面図である。
【図５】枠体の斜視図である。
【図６】図５にＡで示した部位の拡大図で、その内側壁部の一部を切り欠いて示した図である。
【図７】組み立てられた開口部装置の、円形障子及び枠体等の主要部を抜き出して断面を示した図である。
【図８】円形障子と枠体が組み立てられる前における室内側斜視図である。
【図９】図８にＢで示した部位の拡大図で、その内側壁部の一部を切り欠いて示した図である。
【符号の説明】
【００４０】
１  開口部装置
５  円形障子
１０  枠体
１５  ガラスパネル（光透過性パネル）
２３  環状固定部材
２５  係合片
３０  枠体
３０ａ  内側側壁
３０ｂ  外側側壁
３０ｃ  貫通孔
３０ｄ  室内側端面
３０ｅ  ネジ
９０  建物
【図１】
0004754310.tif 000002
【図２】
0004754310.tif 000003
【図３】
0004754310.tif 000004
【図４】
0004754310.tif 000005
【図５】
0004754310.tif 000006
【図６】
0004754310.tif 000007
【図７】
0004754310.tif 000008
【図８】
0004754310.tif 000009
【図９】
0004754310.tif 000010